(57)【要約】本発明は、カプセル化酵素を含む液体洗濯洗剤組成物及びその使用に関する。【特許請求の範囲】
【請求項１】
水溶性フィルムと、液体洗剤組成物と、を含む水溶性単位用量物品であって、前記液体洗剤組成物が、前記液体洗剤組成物の２５重量％〜５５重量％の非石鹸界面活性剤を含み、前記非石鹸界面活性剤がアニオン性界面活性剤と非イオン性界面活性剤とを含み、前記アニオン性界面活性剤と前記非イオン性界面活性剤との重量比が２５：１〜１：１．５であり、
前記液体洗剤組成物がカプセル化酵素を含む、水溶性単位用量物品。
【請求項２】
前記酵素が、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物を含む群から選択され、好ましくは、前記酵素は、リパーゼ、セルラーゼ、又はこれらの混合物であり、最も好ましくは、前記酵素はリパーゼである、請求項１に記載の水溶性単位用量物品。
【請求項３】
前記カプセル化酵素がコアシェル型のものであるか、マトリックス上若しくは該マトリックス内部に吸着されるか、又はその混合物であり、好ましくは、前記カプセル化酵素がコアシェル型のものである、請求項１又は２に記載の水溶性単位用量物品。
【請求項４】
前記カプセル化酵素がコアシェル型のものであり、前記酵素が前記コア内に配置され、前記シェルが好ましくはポリマー材料を含み、より好ましくは前記シェル材料は、ポリビニルアルコール、ポリビニルピロリドン、カルボキシメチルセルロース、グアーガム、ポリカルボン酸、メチルセルロース、ヒドロキシプロピルメチルセルロース、タンパク質、ポリエチレンイミン（ＰＥＩ）などの多分枝ポリアミン、（疎水変性された）多糖修飾セルロースポリマー、これらの誘導体又はコポリマー及びこれらの混合物から選択される、請求項３に記載の水溶性単位用量物品。
【請求項５】
前記液体洗剤組成物が、前記液体洗濯洗剤組成物の０．０００１重量％〜０．７５重量％、好ましくは０．０００５重量％〜０．５重量％、より好ましくは０．００１重量％〜０．５重量％の前記カプセル化酵素を含む、請求項１〜４のいずれか一項に記載の水溶性単位用量物品。
【請求項６】
前記液体洗剤組成物が、前記液体洗剤組成物の３０重量％〜５０重量％、好ましくは３５重量％〜４８重量％の前記非石鹸界面活性剤を含む、請求項１〜５のいずれか一項に記載の水溶性単位用量物品。
【請求項７】
アニオン性界面活性剤と非イオン性界面活性剤との比が、２３：１〜２．５：１、好ましくは２０：１〜５：１、より好ましくは１８：１〜１０：１である、請求項１〜６のいずれか一項に記載の水溶性単位用量物品。
【請求項８】
前記アニオン性界面活性剤が、直鎖状アルキルベンゼンスルホネート、アルコキシル化アルキルサルフェート、又はこれらの混合物から選択される、請求項１〜７のいずれか一項に記載の水溶性単位用量物品。
【請求項９】
前記非イオン性界面活性剤が、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される、請求項１〜８のいずれか一項に記載の水溶性単位用量物品。
【請求項１０】
前記液体洗剤組成物が、色相染料、ポリマー、界面活性剤、ビルダー、移染防止剤、分散剤、酵素、酵素安定剤、触媒材料、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から好ましくは選択される補助成分を含む、請求項１〜９のいずれか一項に記載の水溶性単位用量物品。
【請求項１１】
前記液体洗剤組成物が、前記液体洗剤組成物の０．５重量％〜５０重量％、好ましくは０．５重量％〜４０重量％、より好ましくは０．５重量％〜３０重量％、より好ましくは０．５重量％〜２５重量％、更により好ましくは１重量％〜２０重量％、最も好ましくは２重量％〜１５重量％の水を含む、請求項１〜１０のいずれか一項に記載の水溶性単位用量物品。
【請求項１２】
前記液体洗剤組成物が、硬化ヒマシ油、香料エステル、ポリエステルテレフタレートポリマー、又はこれらの混合物を含む、請求項１〜１１のいずれか一項に記載の水溶性単位用量物品。
【請求項１３】
前記液体洗剤組成物が、液体洗濯洗剤組成物、自動食器洗い用洗剤、食器手洗い用洗剤、硬質表面洗浄剤、又はこれらの混合物であり、好ましくは、前記液体洗剤は液体洗濯洗剤組成物である、請求項１〜１２のいずれか一項に記載の水溶性単位用量物品。
【請求項１４】
前記水溶性フィルムが、少なくとも１種のポリビニルアルコール又はこれらのコポリマーを含み、好ましくは、前記水溶性フィルムが、少なくとも２種の異なるポリビニルアルコールホモポリマー、少なくとも２種の異なるポリビニルアルコールコポリマー、少なくとも１種のポリビニルアルコールホモポリマー、及び少なくとも１種のポリビニルアルコールコポリマー、又はこれらの組み合わせのブレンドを含む、請求項１〜１３のいずれか一項に記載の水溶性単位用量物品。
【請求項１５】
前記液体洗剤組成物の２５重量％〜５５重量％の非石鹸界面活性剤を含む液体洗剤組成物の使用であって、前記非石鹸界面活性剤がアニオン性界面活性剤と非イオン性界面活性剤とを含み、前記液体洗剤組成物中に存在するカプセル体から漏れ出た、前記液体洗剤組成物中の酵素汚染度を最小にするために、前記アニオン性界面活性剤と前記非イオン性界面活性剤との比が２５：１〜１：１．５である、液体洗剤組成物の使用。
【発明の詳細な説明】
【技術分野】
【０００１】
本発明は、カプセル化酵素を含む液体洗剤組成物及びその使用に関する。
【背景技術】
【０００２】
さまざまな洗浄及び／又はケア効果を与えるために、配合者によって液体洗剤組成物中に酵素がしばしば用いられる。しかしながら、場合により、他の洗剤成分が洗剤組成物中に配合された酵素の基質として働くことがあり、そのため、これらの成分が酵素により分解されてしまう。これにより、洗剤組成物の洗浄又はケア性能に悪影響が及ぼされることで、消費者の洗浄体験にも悪影響が及ぶ場合がある。
【０００３】
このような不適合性は、酵素をカプセル化することによって解決することができる。しかしながら、カプセル体から液体洗剤組成物中に酵素が漏れ出る傾向がある。カプセル体からの漏出の度合いを低減させる手段に主眼を置いた試みが当該技術分野でなされてきたが、依然としてこの問題は解決されていない。
【発明の概要】
【発明が解決しようとする課題】
【０００４】
カプセル体から漏れ出た酵素の悪影響が最小限に抑えられる一方で、効果的な洗浄性を与えるとともにカプセル化された酵素を配合することができる液体洗剤組成物を与える、カプセル化酵素を含んだ液体洗剤組成物が当該技術分野において求められている。
【０００５】
本発明の液体洗剤組成物がこの技術的課題を解決することが、期せずして見出された。
【課題を解決するための手段】
【０００６】
本発明の第１の態様は、水溶性フィルムと、液体洗剤組成物と、を含む水溶性単位用量物品であって、液体洗剤組成物が、液体洗剤組成物の２５重量％〜５５重量％の非石鹸界面活性剤を含み、非石鹸界面活性剤がアニオン性界面活性剤と非イオン性界面活性剤とを含み、アニオン性界面活性剤と非イオン性界面活性剤との重量比が２５：１〜１：１．５であり、液体洗剤組成物がカプセル化酵素を含む、水溶性単位用量物品である。
【０００７】
本発明の第２の態様は、液体洗剤組成物の２５重量％〜５５重量％の非石鹸界面活性剤を液体洗剤組成物の使用であって、非石鹸界面活性剤がアニオン性界面活性剤と非イオン性界面活性剤とを含み、液体洗剤組成物中に存在するカプセル体から漏れ出た、液体洗剤組成物中の酵素汚染度を最小にするために、アニオン性界面活性剤と非イオン性界面活性剤との比が２５：１〜：１．５である、液体洗剤組成物の使用である。
【発明を実施するための形態】
【０００８】
液体洗剤組成物
本発明の組成物は、液体洗剤組成物である。「液体洗剤組成物」なる用語は、例えば家庭用洗濯機の中で衣類を洗浄するなど、物品又は表面を濡らして処理することが可能な液体を含む任意の洗剤組成物のことを指し、これらに限定されるものではないが、液体、ゲル、ペースト、分散液などが挙げられる。液体組成物は、固体又は気体を適宜分割された形態で含み得るが、液体組成物は、錠剤又は顆粒などの、全体として非流動性の形態を除外する。
【０００９】
液体組成物は、単位用量物品に処方され得る。本発明の単位用量物品は、少なくとも１つの区画に液体組成物を完全に封入する水溶性フィルムを含む。好適な単位用量物品については、以下でより詳細に説明する。
【００１０】
液体洗剤組成物は、液体洗濯洗剤組成物、自動食器洗い用洗剤、食器手洗い用洗剤、硬質表面洗浄剤、又はこれらの混合物であってもよく、好ましくは液体洗剤は液体洗濯洗剤組成物である。
【００１１】
液体洗剤組成物は、完全に配合された消費者製品として使用してもよく、又は１つ以上の更なる成分に添加して完全に配合された消費者製品を形成してもよい。
【００１２】
液体洗剤組成物は、布地を洗浄液に加える前に、布地、好ましくは布地の染みに加える「前処理」組成物であってもよい。
【００１３】
液体洗剤組成物は、布地手洗い操作に使用されてもよいし、自動洗濯機での布地洗濯操作に使用されてもよい。
【００１４】
本発明の液体洗剤組成物は、液体洗剤組成物の２５重量％〜５５重量％の非石鹸界面活性剤を含み、非石鹸界面活性剤はアニオン性界面活性剤と非イオン性界面活性剤とを含み、アニオン性界面活性剤と非イオン性界面活性剤との重量比は２５：１〜１：１．５である。非イオン性界面活性剤については、以下により詳細に説明する。
【００１５】
液体洗剤組成物はカプセル化酵素を含む。カプセル化酵素については、以下により詳細に説明する。
【００１６】
液体洗剤組成物は、液体洗剤組成物の０．５重量％〜５０重量％、好ましくは０．５重量％〜４０重量％、より好ましくは０．５重量％〜３０重量％、より好ましくは０．５重量％〜２５重量％、更により好ましくは１重量％〜２０重量％、最も好ましくは２重量％〜１５重量％の水を含むことができる。
【００１７】
液体洗剤組成物は、硬化ヒマシ油、香料エステル、テレフタレートポリマー、又はこれらの混合物を含むことができる。硬化ヒマシ油及び香料エステルについては、以下により詳細に説明する。
【００１８】
液体洗剤は、色相染料、ポリマー、界面活性剤、ビルダー、移染防止剤、分散剤、酵素、酵素安定剤、触媒材料、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から好ましくは選択される補助成分を含んでもよい。
【００１９】
理論に束縛されるものではないが、洗剤組成物中の他の成分に対する漏れ出た酵素の悪影響を低減しようとする試みは、カプセル体からの漏れ量を低減することに主眼を置いてきた。本発明は、カプセル化酵素を含む洗剤組成物を配合し、漏れ出た酵素がこの液体洗剤組成物によって変性されることによってこの問題を解決するものである。しかしながら、この洗剤組成物は、酵素がカプセル体内にある場合には変性されず、使用時に洗浄又はケア効果を依然与えることができるようなものである。更に、洗剤組成物は全体として、効果的な洗浄及び／又はケア効果を依然、与えるものである。理論に束縛されるものではないが、本発明の非石鹸界面活性剤の特定の濃度及び比によってこれが実現されることが見出された。
【００２０】
非石鹸界面活性剤
本発明の液体洗剤組成物は、液体洗剤組成物の２５重量％〜５５重量％、好ましくは３０重量％〜５０重量％、より好ましくは３５重量％〜４８重量％の非石鹸界面活性剤を含む。
【００２１】
本明細書において非石鹸界面活性剤とは、石鹸でもなければ中和脂肪酸でもない界面活性剤を意味する。
【００２２】
非石鹸界面活性剤は、アニオン性界面活性剤及び非イオン性共界面活性剤を含む。アニオン性洗浄界面活性剤及び非イオン性共界面活性剤については、以下により詳細に説明する。
【００２３】
アニオン性界面活性剤と非イオン性界面活性剤との重量比は、２５：１〜１：１．５、好ましくは２３：１〜２．５：１、より好ましくは２０：１〜５：１、最も好ましくは１８：１〜１０：１である。
【００２４】
あるいは、アニオン性界面活性剤と非イオン性界面活性剤との重量比は、５：１〜１：５、好ましくは２．５：１〜１：２．５、より好ましくは１．５：１〜１：１．５であってもよい。
【００２５】
アニオン性界面活性剤
非石鹸界面活性剤はアニオン性界面活性剤を含む。好ましくは、アニオン性界面活性剤は、直鎖アルキルベンゼンスルホネート、アルコキシル化アルキルサルフェート、又はこれらの混合物から選択される。
【００２６】
代表的なアニオン性界面活性剤は、Ｃ１０〜Ｃ１６のアルキルベンゼンスルホン酸、又はＣ１１〜Ｃ１４のアルキルベンゼンスルホン酸のアルカリ金属塩である。一態様では、アルキル基は直鎖であり、そのような直鎖アルキルベンゼンスルホネートは「ＬＡＳ」として知られている。アルキルベンゼンスルホネート（特にＬＡＳ）は、当該技術分野においてよく知られている。特に有用なのは、ナトリウム、カリウム、及びアミン線状直鎖アルキルベンゼンスルホネート（アルキル基内の平均炭素原子数が約１１〜１４である）である。
【００２７】
具体的には、本明細書で有用なアニオン性界面活性剤の非限定例としては、以下の酸又は塩形態を含むものである：ａ）Ｃ１１〜Ｃ１８アルキルベンゼンスルホネート（ＬＡＳ）；ｂ）Ｃ１０〜Ｃ２０一級分枝鎖及びランダムアルキルサルフェート（ＡＳ）であって、大部分がＣ１２アルキルサルフェートを含む；ｃ）Ｃ１０〜Ｃ１８第２級（２，３）アルキル硫酸塩であって、好適なカチオンの非限定的な例としては、ナトリウム、カリウム、アンモニウム、アミン、及びこれらの混合物が挙げられる；ｄ）Ｃ１０〜Ｃ１８アルキルアルコキシサルフェート（ＡＥｘＳ）（式中ｘは１〜３０である）；ｅ）一態様では１〜５個のエトキシ単位を含む、Ｃ１０〜Ｃ１８アルキルアルコキシカルボキシレート；ｆ）中鎖分枝状アルキルサルフェート；ｇ）中鎖分枝状アルキルアルコキシサルフェート；ｈ）修飾アルキルベンゼンスルホネート；ｉ）メチルエステルスルホネート（ＭＥＳ）；及び、ｊ）α−オレフィンスルホネート（ＡＯＳ）、が挙げられる。
【００２８】
非イオン性界面活性剤
非石鹸界面活性剤は非イオン性界面活性剤を含む。好ましくは、非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択される。
【００２９】
この非イオン性界面活性剤は、エトキシル化非イオン性界面活性剤を含み得る。エトキシル化非イオン性界面活性剤は、例えば、一級及び二級アルコールエトキシレート、特にアルコール１モル当たり平均１〜５０モル又は更に２０モルのエチレンオキシドでエトキシル化されたＣ８〜Ｃ２０脂肪族アルコール、またより特にアルコール１モル当たり平均１〜１０モルのエチレンオキシドでエトキシル化されたＣ１０〜Ｃ１５一級及び二級脂肪族アルコールであってよい。
【００３０】
エトキシル化アルコール非イオン性界面活性剤は、例えば、３〜８モルのエチレンオキシドと、１モルの、９〜１５個の炭素原子を有する一級アルコールとの縮合生成物であり得る。
【００３１】
非イオン性界面活性剤は、式ＲＯ（ＥＯ）ｎＨ（式中、Ｒは、４〜３０個の炭素原子のアルキル鎖を表し、（ＥＯ）は、エチレンオキシドモノマーの１単位を示し、ｎは、０．５〜２０の平均値を有する）の脂肪族アルコールエトキシレートを含み得る。
【００３２】
カプセル化酵素
液体洗剤組成物はカプセル化酵素を含む。本明細書において、カプセル化とは、酵素が粒子などの内部に固定化されており、液体洗剤組成物中で「自由」でないことを意味する。
【００３３】
カプセル化酵素は、コアシェル型であってもよく、マトリックスの表面上若しくはその内部に吸着されてもよく、又はその混合物であってもよいが、カプセル化酵素はコアシェル型であることが好ましい。コアシェル粒子とは、コアを包囲した外側シェルからなり、コアの内部に酵素が含まれたものである。
【００３４】
カプセル化された形態では、酵素は通常、ポリマー材料中に封入される。酵素のカプセル化の方法としては、例えば、酵素及びポリマーを含んだ液体組成物を噴霧乾燥することによるもの、又は酵素及びポリマーを含んだ液体組成物を乾燥することによるもの、又は、エマルジョン重合、コアセルベーション、沈降、若しくは界面重合を、場合により酵素の存在下、場合により、その後で乾燥及び／若しくは小径化プロセスを行うことによるものがある。酵素をカプセル化するのに適したポリマーとしては、ポリビニルアルコール、ポリビニルピロリドン、カルボキシメチルセルロース、グアーガム、ポリカルボン酸、メチルセルロース、ヒドロキシプロピルメチルセルロース、タンパク質、ポリエチレンイミン（ＰＥＩ）などの多分岐ポリアミン、（疎水変性された）多糖修飾セルロースポリマー、これらの誘導体又はコポリマー及びこれらの混合物が挙げられる。変性セルロースポリマーの例としては、フタル酸ヒドロキシプロピルメチルセルロース、酢酸フタル酸セルロースが挙げられる。変性ガムの例としては、変性グアーガム、ベンゾインガム、トラガントガム、アラビアガム及びアカシアガムが挙げられる。変性タンパク質の例としては、変性カゼイン、ゼラチン及びアルブミンがある。変性ポリマーの例は、少なくとも１種の疎水性ビニルモノマーと少なくとも１種の親水性ビニルポリマーとのコポリマーから選択することができる。適当な親水性ビニルモノマーは、ビニルピロリドンである。適当な疎水性ビニルモノマーは、Ｃ１〜Ｃ１８アルキルアクリレート、Ｃ１〜Ｃ１８アルキルメタアクリレート、Ｃ３〜Ｃ１８シクロアルキルアクリレート、Ｃ３〜Ｃ１８シクロアルキルメタクリレート及びビニルＣ１〜Ｃ１８アルカノエート、並びにこれらの混合物である。ポリマーは、Ｃ−Ｃ−主鎖を有するホモポリマーホモポリマー及びコポリマーから選択されるポリマーを含むことができ、Ｃ−Ｃ−主鎖は、酸性型又は中和型で存在し得るカルボキシル基を有し、ポリマーの総重量に対して（すなわちポリマーＰ中の繰り返し単位の総重量に対して）少なくとも２０重量％、例えば２０〜９８重量％の疎水性繰り返し単位を含む。ポリマーは、分枝、例えば、ビニルピロリドンと酢酸ビニルとから形成される分枝コポリマーマトリックス粒子を含むことができる。ポリマーは、マレイン酸又は（メタ）アクリル酸に基づく、例えば国際公開第２０１０／００３９３４号に記載されるコポリマーを含むことができる。ポリマーは、架橋されていてもよい。
【００３５】
好ましいポリマーは、１０００〜５００，０００、又は２０００〜２０００００Ｄａの重量平均分子量を有するものである。酵素とポリマーとの重量比は、通常、１：５０〜１０：１である。
【００３６】
ポリマーは、０ｍｏｌ／ｋｇのイオン強度を有する水溶液に実質的に可溶であり、かつ、例えばポリマーがポリマーの総重量に対して３５〜９５重量／重量％の親水性モノマー単位を含む場合のように１ｍｏｌ／ｋｇよりも高いイオン強度を有する水溶液に不溶であるように選択することができる。
【００３７】
場合により、６０％よりも高い、又は更には８０若しくは９０％よりも高い、高い加水分解度を有する疎水変性ポリビニルアルコール又は疎水変性ポリビニルピロリドンが好ましい場合がある。適当な疎水性修飾基としては、ケトエステル及び／又はブチリル基及びこれらの混合物が挙げられ、好ましくは全置換度（ＤＳ）が約３％〜約２０％である。
【００３８】
脂肪酸脱炭酸酵素は、添加剤粒子に存在する場合、添加剤粒子中の唯一の酵素であってもよいし、添加剤粒子内に１種以上の更なる酵素と組み合わせて存在してもよい。
【００３９】
好ましくはシェル材料は、ポリマー材料、好ましくはポリビニルアルコール、ポリビニルピロリドン、カルボキシメチルセルロース、グアーガム、ポリカルボン酸、メチルセルロース、ヒドロキシプロピルメチルセルロース、タンパク質、ポリエチレンイミン（ＰＥＩ）などの多分枝ポリアミン、（疎水変性された）多糖修飾セルロースポリマー、これらの誘導体又はコポリマー及びこれらの混合物からなる群から選択されるポリマー材料を含む。
【００４０】
好ましくは、液体洗剤組成物は、液体洗濯洗剤組成物の０．０００１重量％〜０．７５重量％、好ましくは０．０００５重量％〜０．５重量％、より好ましくは０．００１重量％〜０．５重量％のカプセル化酵素を含む。本明細書では、酵素タンパク質の重量％とは、カプセル体内に存在し得るシェルなどの他の任意の材料の重量％を除外するだけであり、「カプセル化酵素」とは、液体洗剤組成物中に存在し得る他の任意の酵素と異なり、カプセル体内に存在する酵素を指すものとする。
【００４１】
好ましくは、酵素は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物を含む群から選択され、好ましくは、酵素は、リパーゼ、セルラーゼ、又はこれらの混合物であり、最も好ましくは、酵素はリパーゼである。
【００４２】
硬化ヒマシ油
本明細書で使用するところの硬化ヒマシ油（ＨＣＯ）とは、最も一般的には、液体洗濯洗剤組成物中で結晶化することができるものであれば、任意の硬化ヒマシ油又はその誘導体であってよい。ヒマシ油としては、ヒドロキシル基を組み込むＣ１０〜Ｃ２２アルキル又はアルケニル部分を含む、グリセリド、特にトリグリセリドを挙げることができる。ＨＣＯを生成するために、ヒマシ油を水素化して、出発油中にリシノレイル部分として存在し得る二重結合を変換する。その結果、リシノレイル部分は、飽和ヒドロキシアルキル部分、例えば、ヒドロキシステアリルに変換される。本明細書におけるＨＣＯは、トリヒドロキシステアリン、ジヒドロキシステアリン、及びこれらの混合物から選択され得る。ＨＣＯは、固形、溶融物及びこれらの混合物から選択されるものが挙げられるが、これらに限定されない任意の好適な出発形態で加工することができる。完成した洗濯洗剤製品に送達される硬化ヒマシ油の対応する百分率は、１．０％未満、典型的には０．１％〜０．８％であってよい。ＨＣＯは、液体洗濯洗剤組成物の０．０１重量％〜１重量％、又は更には０．０５重量％〜０．８重量％の濃度で存在してよい。
【００４３】
本発明で使用するＨＣＯとしては、市販されているものが挙げられる。非限定的な例としてＥｌｅｍｅｎｔｉｓ，Ｐｌｃがある。
【００４４】
香料エステル
香料エステルは、エステルを含む香料原料である。当業者であれば、適当な材料は認識されるであろう。
【００４５】
ポリエステルテレフタレートポリマー
ポリマーは、１つ以上のアニオン性又は非イオン性基でグラフトされたポリエステルテレフタレート骨格を有している。適当なポリマーは、以下の構造（Ｉ）、（ＩＩ）、又は（ＩＩＩ）のうちの１つによって定義される構造を有する。すなわち、
（Ｉ）        −［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ、ジ、トリ若しくはテトラアルキルアンモニウム（アルキル基は、Ｃ１〜Ｃ１８アルキル又はＣ２〜Ｃ１０ヒドロキシアルキルである）、又はこれらの混合物であり；
Ｒ１、Ｒ２、Ｒ３、Ｒ４、Ｒ５、及びＲ６は、独立して、Ｈ又はＣ１〜Ｃ１８ｎ−若しくはイソ−アルキルから選択され、
Ｒ７は、直鎖状若しくは分枝状Ｃ１〜Ｃ１８アルキル、又は直鎖状若しくは分枝状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）である。
【００４６】
好適な汚れ放出ポリマーは、Ｃｌａｒｉａｎｔにより、ＴｅｘＣａｒｅ（登録商標）シリーズのポリマー、例えば、ＴｅｘＣａｒｅ（登録商標）ＳＲＮ２４０及びＴｅｘＣａｒｅ（登録商標）ＳＲＡ３００として販売されている。他の好適な汚れ放出ポリマーは、Ｓｏｌｖａｙにより、Ｒｅｐｅｌ−ｏ−Ｔｅｘ（登録商標）シリーズのポリマー、例えば、Ｒｅｐｅｌ−ｏ−Ｔｅｘ（登録商標）ＳＦ２及びＲｅｐｅｌ−ｏ−Ｔｅｘ（登録商標）Ｃｒｙｓｔａｌとして販売されている。
【００４７】
水溶性単位用量物品
本発明は、水溶性フィルムと、本発明による液体洗剤組成物と、を含む、水溶性単位用量物品である。
【００４８】
水溶性単位用量物品は、単位用量物品が水溶性フィルムによって取り囲まれた少なくとも１つの内部区画を含むような形状の、少なくとも１枚の水溶性フィルムを含む。少なくとも１つの区画は、液体洗濯洗剤組成物を含む。水溶性フィルムは、保管中に液体洗濯洗剤組成物が区画から漏れ出さないように封止される。しかし、水溶性単位用量物品を水に添加すると、水溶性フィルムが溶解して、内部区画の内容物が洗浄液中に放出される。
【００４９】
区画は、液体洗濯洗剤組成物を保持する、単位用量物品内の閉じた内部空間を意味すると理解されるべきである。好ましくは、単位用量物品は水溶性フィルムを含む。単位用量物品は、水溶性フィルムが液体洗濯洗剤組成物を完全に取り囲み、それによって液体洗濯洗剤の入っている区画が画定されるように製造される。単位用量物品は、２枚のフィルムを含んでよい。第１のフィルムは、液体洗濯洗剤が添加される開口区画を構成するような形状でよい。次に、区画の開口部を閉じる向きで、第１のフィルムを第２のフィルムで覆う。次に、封止領域に沿って第１及び第２のフィルムを１つにして封止する。水溶性フィルムについて、以下でより詳細に説明する。
【００５０】
単位用量物品は、２つ以上の区画、更には少なくとも２つの区画、又は更には少なくとも３つの区画を含んでもよい。区画は、重ね合わせる向きに、すなわち、一方が他方の上に位置するように配置してもよい。あるいは、区画は、横並びの向きに、すなわち、一方が他方に隣接する向きに位置してもよい。更に、区画は、「タイヤとリム」の配置の向きとしてもよく、すなわち、第１の区画が第２の区画に隣接して位置するが、第１の区画が第２の区画を少なくとも部分的に取り囲み、しかし、第２の区画を完全には囲まない。あるいは、１つの区画が別の区画内に完全に囲まれてもよい。
【００５１】
単位用量物品が少なくとも２つの区画を含む場合、区画のうちの１つが他の区画より小さくてもよい。単位用量物品が少なくとも３つの区画を含む場合、区画のうちの２つが第３の区画より小さくてもよく、好ましくは小さい方の区画が大きい方の区画の上に重ね合わせられていてよい。重ね合わせた区画は、好ましくは横並びに向く。
【００５２】
複数区画の向きにおいて、本発明による液体洗濯洗剤が、区画のうちの少なくとも１つに含まれてもよい。例えば液体洗濯洗剤は１つの区画のみに含まれてもよく、又は２つの区画、又は更には３つの区画に含まれていてもよい。
【００５３】
各区画は、同一の組成物を含んでも、異なる組成物を含んでもよい。異なる組成物は全て同じ形態であってもよいし、異なる形態であってもよい。
【００５４】
水溶性単位用量物品は、少なくとも２つの内部区画を含み得、液体洗濯洗剤組成物がこの区画のうちの少なくとも１つの中に含まれ、好ましくは、単位用量物品は少なくとも３つの区画を含み、液体洗濯洗剤組成物がこの区画のうちの少なくとも１つの中に含まれる。
【００５５】
水溶性フィルム
本発明のフィルムは、水に可溶性又は分散性であり、少なくとも１種のポリビニルアルコール又はそのコポリマーを含む。好ましくは、水溶性フィルムは、少なくとも２種の異なるポリビニルアルコールホモポリマー、少なくとも２種の異なるポリビニルアルコールコポリマー、少なくとも１種のポリビニルアルコールホモポリマーと少なくとも１種のポリビニルアルコールコポリマー、又はこれらの組み合わせの配合物を含む。
【００５６】
好ましくは、水溶性フィルムの厚さは、２０〜１５０μｍ、好ましくは３５〜１２５μｍ、更により好ましくは５０〜１１０μｍ、最も好ましくは７０〜９０μｍ、特に約７６μｍである。本明細書において、フィルム厚さとは、製造中に何らかの変形を受ける前のフィルムの厚さを意味する。
【００５７】
好ましくは、フィルムの水溶性は、少なくとも５０％、好ましくは少なくとも７５％、又は更には少なくとも９５％（最大孔径が２０μｍのガラスフィルタの使用後に、本明細書に記載の方法によって測定）である。
【００５８】
予め秤量した３Ｌのビーカーに、５グラム±０．１グラムのフィルム材料を添加し、２Ｌ±５ｍＬの蒸留水を添加する。これを、６００ｒｐｍに設定した磁気撹拌器（Ｌａｂｌｉｎｅモデル番号１２５０又は等価物、及び５ｃｍの磁気撹拌器）で、３０℃にて３０分間にわたり激しく撹拌する。その後、混合物を、上記で定義した孔径（最大２０μｍ）の折り畳んだ定性分析用焼結ガラス濾過器により濾過する。任意の従来の方法によって、回収した濾液から水を乾燥させ、残った材料の重量を求める（これが溶解画分又は分散画分である）。次に、溶解度又は分散性の百分率を計算することができる。
【００５９】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００６０】
パウチ材料として使用するのに好適な好ましいポリマー、コポリマー、又はこれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００６１】
好ましくは、水溶性単位用量物品は、ポリビニルアルコールを含む。
【００６２】
また、ポリマーの混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーの水溶性が別のポリマーよりも高く、及び／又は１つのポリマーの機械的強度が別のポリマーよりも高い、混合物が挙げられる。また、異なる重量平均分子量のポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。また、ポリマーブレンド組成物、例えば、加水分解により分解可能な水溶性のポリマーブレンド（ポリラクチド及びポリビニルアルコールを混合することにより得られ、典型的には約１〜３５重量％のポリラクチドと、約６５〜９９重量％のポリビニルアルコールとを含む、ポリラクチドとポリビニルアルコールとのポリマーブレンドなど）を含むポリマーブレンド組成物も、本明細書において好適である。
【００６３】
本明細書において使用するのに好ましいものは、約６０％〜約９８％加水分解され、好ましくは約８０％〜約９０％加水分解され、材料の溶解特性が向上したＰＶＡポリマーである。
【００６４】
好ましいフィルムは、冷水、すなわち、加熱されていない蒸留水中で良好な溶解を示すものである。好ましくは、そのようなフィルムは、２４℃の温度にて、更により好ましくは１０℃にて良好な溶解度を示す。良好な溶解とは、フィルムが、上述の最大孔径が２０μｍのガラスフィルタの使用後に、本明細書に記載の方法により測定される、少なくとも５０％、好ましくは少なくとも７５％、又は更には少なくとも９５％の水溶性を示すことを意味する。
【００６５】
好ましいフィルムは、Ｍｏｎｏｓｏｌにより供給されるものである。
【００６６】
ＰＶＡ樹脂は、本明細書に記載されるフィルム内の全ＰＶＡ樹脂含有量の、約３０〜約８５重量％の第１のＰＶＡポリマー、又は約４５〜約５５重量％の第１のＰＶＡポリマーを含むことができる。例えば、ＰＶＡ樹脂は、各ＰＶＡポリマーを約５０重量％含有することができ、第１のＰＶＡポリマーの粘度が約１３ｃＰであり、第２のＰＶＡポリマーの粘度が約２３ｃＰである（２０℃で脱塩水中の４％ポリマー溶液として測定）。
【００６７】
好ましくはこのフィルムは、少なくとも２つの異なるポリビニルアルコールホモポリマー及び／又はコポリマーの配合物を含む。
【００６８】
最も好ましくは、この水溶性フィルムは、少なくとも２つの異なるポリビニルアルコールホモポリマーの配合物を含み、特に平均分子量が異なる少なくとも２つの異なるポリビニルアルコールホモポリマーの配合物を含み、特に、２つの異なるポリビニルアルコールホモポリマーの配合物の、第１のＰＶＯＨホモポリマーと第２のＰＶＯＨホモポリマーについて、平均粘度の差の絶対値｜μ２−μ１｜が、脱塩水中の４％ポリマー溶液として測定したとき、５ｃＰ〜約１５ｃＰの範囲であり、かつ、両方のホモポリマーが、８５％〜９５％、好ましくは８５％〜９０％の平均加水分解度を有する、２つの異なるポリビニルアルコールホモポリマーの配合物を含む。第１のホモポリマーは好ましくは、平均粘度が１０〜２０ｃＰ、好ましくは１０〜１５ｃＰであり、第２のホモポリマーは好ましくは、平均粘度が２０〜３０ｃＰ、好ましくは２０〜２５ｃＰである。最も好ましくは、この２つのホモポリマーは、４０／６０〜６０／４０の重量％の比率で配合される。
【００６９】
あるいは、この水溶性フィルムは、ポリビニルアルコールとアニオン変性モノマー単位とを含む少なくとも１種のコポリマーを含有するポリマーブレンドを含む。特に、このポリマーブレンドは、ポリビニルアルコールホモポリマーと、ポリビニルアルコール及びアニオン変性モノマー単位を含むコポリマーとを、９０／１０〜５０／５０の重量％比率で含み得る。あるいは、このポリマーブレンドは、ポリビニルアルコール及びアニオン変性モノマー単位を含む２つの異なるコポリマーを、９０／１０〜１０／９０の重量％比率で含み得る。
【００７０】
ＰＶＯＨコポリマーに使用できるアニオン性モノマー単位の一般的な種類は、モノカルボン酸ビニルモノマー、そのエステル及び無水物、重合可能な二重結合を有するジカルボン酸モノマー、そのエステル及び無水物、ビニルスルホン酸モノマー、及び上記のいずれかのアルカリ金属塩、に対応するビニル重合単位を含む。好適なアニオン性モノマーの例としては、ビニルアニオン性モノマーに対応するビニル重合単位が挙げられ、このビニルアニオン性モノマーには、ビニル酢酸、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記のアルカリ金属塩（例えば、ナトリウム塩、カリウム塩、又は他のアルカリ金属塩）、上記のエステル（例えば、メチル、エチル、又は他のＣ１〜Ｃ４又はＣ６アルキルエステル）、及びこれらの組み合わせ（例えば、複数のタイプのアニオン性モノマー、又は同じアニオン性モノマーの同等物）が挙げられる。一態様において、このアニオン性モノマーは、アクリルアミドメチルプロパンスルホン酸（例えば、２−アクリルアミド−１−メチルプロパンスルホン酸、２−アクリルアミド−２−メチルプロパンスルホン酸、２−メチルアクリルアミド−２−メチルプロパンスルホン酸）、そのアルカリ金属塩（例えばナトリウム塩）、及びこれらの組み合わせのうちの１つ以上であり得る。一態様において、このアニオン性モノマーは、マレイン酸モノメチル、そのアルカリ金属塩（例えばナトリウム塩）、及びこれらの組み合わせのうちの１つ以上であり得る。
【００７１】
ＰＶＯＨコポリマーにおける１種以上のアニオン性モノマー単位の組み込みのレベルは、特に限定されない。一部の態様において、１種以上のアニオン性モノマー単位は、個々に、又は合わせて、約２ｍｏｌ％〜約１０ｍｏｌ％の範囲の量でＰＶＯＨコポリマー中に存在する（例えば、異なる実施形態において少なくとも２．０、２．５、３．０、３．５、又は４．０ｍｏｌ％かつ／又は約３．０、４．０、４．５、５．０、６．０、８．０、又は１０ｍｏｌ％以下）。
【００７２】
当然のことながら、異なるフィルム材料及び／又は異なる厚さのフィルムを、本発明の区画の作製に用いてよい。異なるフィルムを選択する利点は、得られる区画が異なる溶解性又は放出特性を示し得ることである。
【００７３】
また、本明細書のフィルム材料は、１つ以上の添加剤含有成分を含んでもよい。例えば、可塑剤、例えばグリセロール、エチレングリコール、ジエチレングリコール、プロピレングリコール、ジプロピレングリコール、ソルビトール、及びこれらの混合物を加えることが有益であり得る。他の添加剤としては、水及び機能性洗剤添加剤を挙げることができ、それは、洗浄水に送達される界面活性剤、例えば有機ポリマー分散剤などをはじめとするものでよい。
【００７４】
フィルムは、不透明でも、透明でも、半透明でもよい。フィルムは、プリントされた領域を含んでもよい。プリントされた領域は、フィルム表面の１０〜８０％、又は区画の内部空間と接触しているフィルム表面の１０〜８０％、又はフィルム表面の１０〜８０％及び区画表面の１０〜８０％に及んでいてよい。
【００７５】
プリント領域は、フィルムの連続した部分に及んでいても、連続した部分の一部、すなわちプリントの狭い方の領域に及んでいてもよく、その合計が、フィルム表面若しくは区画の内部空間と接触するフィルム表面、又はその両方の１０〜８０％を占める。
【００７６】
プリント領域は、インク、顔料、染料、ブルーイング剤、又はこれらの混合物を含んでもよい。プリント領域は、不透明でも、半透明でも、透明でもよい。
【００７７】
プリント領域は、単色を含んでも、複数色、更には３色を含んでもよい。プリント領域は、白色、黒色、青色、赤色又はこれらの混色を含んでもよい。プリントは、フィルム表面上に層として存在しても、フィルム内に少なくとも部分的に浸透していてもよい。フィルムは、第１の面及び第２の面を含むものである。プリント領域は、フィルムの片面上に存在しても、フィルムの両面上に存在してもよい。あるいは、プリント領域は、フィルム本体内に少なくとも部分的に含まれていてよい。
【００７８】
プリント領域はインクを含んでもよく、インクは顔料を含む。フィルム上にプリントするためのインクは、好ましくは所望の水中分散等級のものである。インクは、白色、赤色、及び黒色をはじめとする任意の色でよい。インクは、重量当たり１０％〜８０％、又は２０％〜６０％、又は２５％〜４５％の水を含む水系インクでよい。インクは、重量当たり２０％〜９０％、又は４０％〜８０％、又は５０％〜７５％の固形分を含んでもよい。
【００７９】
インクの粘度は、剪断速度１０００ｓ−１、２０℃で測定し、１〜６００ｃＰｓ、又は５０〜３５０ｃＰｓ、又は１００〜３００ｃＰｓ、又は１５０〜２５０ｃＰｓであってよい。この測定結果は、ＴＡ  Ｉｎｓｔｒｕｍｅｎｔｓ  ＡＲ−５５０レオメータでコーンプレート形状により得ることができる。
【００８０】
プリント領域は、フレキソ印刷又はインクジェット印刷などの標準的な技術を使用して得ることができる。好ましくは、プリント領域は、フレキソ印刷を介して得られ、この場合、フィルムが印刷された後、開口区画の形状に成形される。次いで、この区画に洗剤組成物が充填され、区画上方に第２のフィルムが配置され、第１のフィルムと封止される。プリント領域は、フィルムの片面上にあっても、両面上にあってもよい。
【００８１】
あるいは、フィルムの全部又は少なくとも一部が着色されるように、インク又は顔料をフィルムの製造中に添加してもよい。
【００８２】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｐｐｍが挙げられるが、これらに限定されない。
【００８３】
組成物の使用
本発明の更なる態様は、液体洗剤組成物の２５重量％〜５５重量％の非石鹸界面活性剤を含む液体洗剤組成物の使用であって、非石鹸界面活性剤がアニオン性と非イオン性界面活性剤とを含み、液体洗剤組成物中に存在するカプセル体から漏れ出た、液体洗剤組成物中の酵素汚染度を最小にするために、アニオン性界面活性剤と非イオン性界面活性剤との比が２５：１〜：１．５である、液体洗剤組成物の使用である。
【００８４】
製造方法
当業者には、本発明の液体洗剤組成物を製造するためのプロセスが理解されよう。当業者には、この液体洗剤組成物を製造するための標準的なプロセス及び機器が理解されよう。
【００８５】
当業者には、本単位用量物品を製造するための標準的な技法が理解されよう。熱成形及び真空成形技術を含むがこれらに限定されない標準的な形成プロセスを、利用することができる。
【００８６】
本発明による水溶性単位用量物品の好ましい製造方法は、第１の水溶性フィルムを成形型内で成形して開放キャビティを形成する工程と、そのキャビティに液体洗剤組成物を充填する工程と、第１のフィルム上に第２のフィルムを置いてキャビティを閉じる工程と、第１のフィルムと第２のフィルムとを互いに封止して水溶性単位用量物品を作製する工程と、を含む。
【００８７】
布地洗浄プロセス
本発明の一態様は、布地を洗浄するプロセスであって、このプロセスは、本発明の液体洗剤組成物又は単位用量物品と水とを接触させて、液体洗剤組成物を少なくとも４００倍で水に希釈して洗浄液を形成する工程と、布地をこの洗浄液と接触させる工程とを含む。
【００８８】
本発明の液体洗剤組成物又は単位用量物品は、洗濯物が既に存在しているか、又は洗濯物が加えられる洗浄液に添加してよい。液体洗剤組成物又は単位用量物品は、自動洗濯機の作動時に使用し、ドラム又は洗剤入れに直接添加してもよい。液体洗剤組成物又は単位用量物品は、布地柔軟剤又は染み除去剤などの他の洗濯洗剤組成物と組み合わせて使用してもよい。液体洗剤組成物は、洗い操作の前に、布地、好ましくは布地の染みに直接加えられる前処理組成物として使用することもできる。
【００８９】
本明細書に開示した寸法及び値は、列挙された正確な数値に厳密に限定されるものと理解されるべきではない。むしろ、特に指定されないかぎり、そのような各寸法は、列挙された値とその値の周辺の機能的に同等の範囲の両方を意味することが意図されている。例えば、「４０ｍｍ」として開示される寸法は、「約４０ｍｍ」を意味するものとする。
【実施例】
【００９０】
以下の試験は、カプセル体を含まない酵素が液体洗濯洗剤組成物により変性され、他の洗剤成分に対する悪影響が最小限に抑えられることを実証するものである。しかしながら、カプセル体内に存在する酵素は、カプセル体が存在する液体洗濯洗剤組成物によって影響されない。
【００９１】
以下の液体組成物を調製した。
【００９２】
【表１】
2019523788.tif 000002
【００９３】
５ｃｍ×５ｃｍの編物コットン（Ｗａｒｗｉｃｋ  Ｅｑｕｅｓｔ社）を使用して焦げた牛肉の染み見本を調製した。その際、２００μＬの焦げた牛脂（Ｗａｒｗｉｃｋ  Ｅｑｕｅｓｔ社）を５ｃｍ×５ｃｍの各見本に垂らして使用前に２５℃で３日間保管した。使用に先立ち、各染みをＤｉｇｉｅｙｅ装置（Ｖｅｒｉｖｉｄｅ社より市販されるもの）で分析してＬ＊、ａ＊及びｂ＊値を得た。
【００９４】
各試験を４回繰り返した。
【００９５】
４つの組成物Ａ〜Ｄのそれぞれについて４つの試料を調製し、３５℃のオーブン中に５日間置いた。
【００９６】
この５日間の期間後、各組成物を１Ｌのポットの水中で希釈し（１Ｌの水にｘｍＬの組成物を加えた）、５分間混合した。これに、４９ｇの汚れのない編物コットンバラスト（Ｗａｒｗｉｃｋ  Ｅｑｕｅｓｔ）を、２枚の焦げた牛肉染み、２枚のラード染み、及び１２枚のＳＢＬ２００４見本（ＣＦＴ）とともに加えた。
【００９７】
次いで、これらの見本及びバラストを、希釈した組成物とともに以下のようにして洗浄した。すなわち、
洗剤用量：２ｇ／Ｌ
サイクル：３０℃で２５分の洗い／１×５分、１５℃ですすぎ
水硬度：水道水０．１２ｇ／Ｌ（７．０ｇｐｇ）
【００９８】
サイクルが完了した時点で、各見本を一晩、風乾し、Ｄｉｇｉｅｙｅ装置でＬ＊、ａ＊及びｂ＊値を得た。次いで、染みが付けられた布地と洗浄後の布地とのＬ＊、ａ＊及びｂ＊値の差として汚れ放出指数を計算した。汚れ放出指数（ＳＲＩ）が高いほど、染み除去で見られる差は大きくなる。
【００９９】
次に、ΔＳＲＩを、組成物Ａと各配合物Ｂ〜Ｄとの差として計算した。結果を表１及び２に見ることができる。
【０１００】
【表２】
2019523788.tif 000003
【０１０１】
【表３】
2019523788.tif 000004
【０１０２】
表１及び２に見られるように、最も高いΔＳＲＩは、カプセル化酵素のみを含む組成物Ｂで見られた。いくらかのカプセル化酵素といくらかの非カプセル化酵素を含む組成物Ｃは、酵素の一部がカプセル体から漏れ出た状態を再現するためのものである。この場合、ΔＳＲＩはより低く、非カプセル化酵素が５日間にわたる保管中に存在する液体組成物によって変性されていることを示している。カプセル化酵素が存在しない組成物ＤではΔＳＲＩは最も低くなっている。このことは、液体組成物がこのような高い濃度の非カプセル化酵素も変性したことを示すものである。
【国際調査報告】
2019523788.tif 000005
2019523788.tif 000006
2019523788.tif 000007